(57)【要約】      （修正有）【課題】連結タブと導電性部材との半田付けを容易にすることができるバッテリパックを提供する。【解決手段】バッテリパックは、電気的に連結される複数のバッテリセルと、複数のバッテリセルを電気的に連結する少なくとも１つの連結タブ３１と、複数のバッテリセルの一側に形成される保護回路モジュール２０と、保護回路モジュールと少なくとも１つの連結タブとを電気的に連結する導電性部材４０と、複数のバッテリセルと導電性部材との間に位置するスペーサ５０とを含む。スペーサには、連結タブが貫通する貫通ホール５１が形成され、連結タブは、スペーサの貫通ホールを貫通してスペーサの上部面に向かって折曲げられる。連結タブが折曲げられる方向の貫通ホールの一側には、フック形状の第１締結部５２が形成され、第１締結部に対応する位置の連結タブには、フックを収容するフック係止ホールである第２締結部３２が形成される。【選択図】図１
2013157311.tif 000002
【特許請求の範囲】
【請求項１】
少なくとも１つのバッテリセルと、
前記少なくとも１つのバッテリセルを連結し、外側に延在する連結部を備える連結タブを含む少なくとも１つの連結タブ部材と、
保護回路モジュールと、
前記連結タブ部材を前記保護回路モジュールに電気的に連結する導電性部材と、
前記連結タブの連結部と結合される結合部を備えるスペーサとを含み、
前記スペーサは、前記導電性部材を収容し、前記少なくとも１つのバッテリセルに隣接した第１位置に位置し、
前記連結タブ部材の連結タブは、前記導電性部材と前記スペーサの結合部に互いに連結されることを特徴とするバッテリパック。
【請求項２】
前記バッテリセルは、複数の円筒型バッテリセルであることを特徴とする請求項１に記載のバッテリパック。
【請求項３】
前記複数のバッテリセルは、少なくとも２つの列に配列され、隣接して配列された各バッテリセルは、前記連結タブ部材を介して連結され、前記導電性部材は、前記保護回路モジュールに前記各バッテリセルを連結する複数の導電性部材を含むことを特徴とする請求項２に記載のバッテリパック。
【請求項４】
前記バッテリセルに隣接したスペーサの表面は、前記バッテリセルの外面形状に対応するように形成されていることを特徴とする請求項１に記載のバッテリパック。
【請求項５】
前記スペーサの上部表面は、バッテリパックを収容するケースの内部表面に対応するように形成されていることを特徴とする請求項１に記載のバッテリパック。
【請求項６】
前記スペーサの結合部は、前記連結タブの連結部を収容する貫通ホールと、前記貫通ホールの一側に備えられた第１締結部とを含み、
前記連結タブの連結部は、第２締結部を含み、前記連結タブを前記スペーサに固定させるために、前記連結タブの連結部が前記貫通ホールを通過して前記第２締結部と前記第１締結部とが結合されることを特徴とする請求項１に記載のバッテリパック。
【請求項７】
前記連結タブの第２締結部を介して延在して固定される前記スペーサの第１締結部は、フック形態であることを特徴とする請求項６に記載のバッテリパック。
【請求項８】
前記連結タブは、前記貫通ホールを介して第１方向に延在し、続いて、前記スペーサの上部面に向かって隣接するように第２方向に折曲げられる折曲部を含み、
前記導電性部材は、前記スペーサの上部面に隣接して位置し、前記連結タブの折曲部が前記導電性部材に連結され、前記連結タブ部材を前記保護回路モジュールに連結することを特徴とする請求項６に記載のバッテリパック。
【請求項９】
前記連結タブの折曲部は、溶接によって前記導電性部材に連結されることを特徴とする請求項８に記載のバッテリパック。
【請求項１０】
前記連結タブの折曲部は、締結ホールをさらに含み、締結部材が前記締結ホールを介して前記導電性部材に連結されることを特徴とする請求項８に記載のバッテリパック。
【請求項１１】
前記スペーサは、結合溝をさらに含み、前記締結部材は、前記連結タブの締結ホールを介して前記スペーサの結合溝内に延在して固定されることを特徴とする請求項１０に記載のバッテリパック。
【請求項１２】
前記スペーサの貫通ホール内において、前記第１締結部が形成されていない貫通ホールの他側は、傾斜して形成されていることを特徴とする請求項６に記載のバッテリパック。
【請求項１３】
前記導電性部材は、カバーレイを含むことを特徴とする請求項１に記載のバッテリパック。
【請求項１４】
前記カバーレイにおいて、前記連結タブと前記保護回路モジュールとが連結される間の領域は、絶縁された形態であることを特徴とする請求項１３に記載のバッテリパック。
【請求項１５】
前記スペーサは、前記導電性部材を収容するグルーブが形成されていることを特徴とする請求項１に記載のバッテリパック。
【請求項１６】
前記グルーブは、前記導電性部材が載置できるように前記導電性部材に対応する深さと幅を有することを特徴とする請求項１５に記載のバッテリパック。
【請求項１７】
前記スペーサの一側には第１アラインマークが形成され、前記スペーサの他側には第２アラインマークが形成され、前記第１アラインマークと第２アラインマークは互いに異なっていることを特徴とする請求項１に記載のバッテリパック。
【請求項１８】
前記連結タブ部材は、第１および第２バッテリセルにそれぞれ連結される第１連結領域と第２連結領域を含むことを特徴とする請求項１に記載のバッテリパック。
【請求項１９】
前記少なくとも１つのバッテリセルは、複数のバッテリセルを含むが、前記複数のバッテリセルは、少なくとも２つの列からなるバッテリセルセットを含み、互いに隣接した２つのバッテリセルセットは、連結タブ部材を介して連結され、前記導電性部材は、複数の導電性部材を含み、前記保護回路モジュールに前記バッテリセルセットを連結することを特徴とする請求項１に記載のバッテリパック。
【発明の詳細な説明】
【技術分野】
【０００１】
本発明は、バッテリパックに関し、より具体的には、連結タブとカバーレイまたはこれに類似する部材との連結を容易にすることができるバッテリパックに関する。
【背景技術】
【０００２】
一般的に、ノート型パソコンなどの場合、１つのバッテリセルを有するだけでは電源用途に使用することが困難である。したがって、ノート型パソコンなどに採用される電源装置は、所望の電圧および容量を得るために、複数のバッテリセルが直列および／または並列に連結された形態を取ってバッテリパックを構成する。ここで、複数のバッテリセルの直列および／または並列連結は、連結タブを用いて溶接することによって行われる。
【０００３】
このような複数のバッテリセルには、充放電制御回路および／または保護回路のような保護回路モジュール（ＰＣＭ：Ｐｒｏｔｅｃｔｉｖｅ  Ｃｉｒｃｕｉｔ  Ｍｏｄｕｌｅ）が装着できる。ここで、保護回路モジュールと複数のバッテリセルは、カバーレイまたはこれに類似する部材を用いて電気的に連結することができる。つまり、カバーレイの一側は保護回路モジュールに固定され、カバーレイの他側は複数のバッテリセルを連結する連結タブに固定される。
【発明の概要】
【発明が解決しようとする課題】
【０００４】
本発明は、連結タブとスペーサとが物理的に締結されることによりスペーサが上下遊動なく固定されることで、連結タブとカバーレイまたはこれに類似する部材との半田付けを容易にすることができるバッテリパックを提供することを目的とする。
【０００５】
また、本発明は、スペーサ上で連結タブとカバーレイまたはこれに類似する部材とがスクリュー（ｓｃｒｅｗ）で締結されることにより半田付け工程を削除することができるバッテリパックを提供することを目的とする。
【課題を解決するための手段】
【０００６】
本発明の一実施形態は、少なくとも１つのバッテリセルと、前記少なくとも１つのバッテリセルを連結し、外側に延びた連結部を備える連結タブを含む少なくとも１つの連結タブ部材と、保護回路モジュールと、前記連結タブ部材を前記保護回路モジュールに電気的に連結する導電性部材と、前記連結タブの連結部と結合される結合部を備えるスペーサとを含むが、前記スペーサは、前記導電性部材を収容し、前記少なくとも１つのバッテリセルに隣接した第１位置に位置し、前記連結タブ部材の連結タブは、前記導電性部材と前記スペーサの結合部に互いに連結されるバッテリパックを提供する。
【０００７】
本発明において、前記バッテリセルは、複数の円筒型バッテリセルである。
【０００８】
本発明において、前記複数のバッテリセルは、少なくとも２つの列に配列され、隣接して配列された各バッテリセルは、前記連結タブ部材を介して連結され、前記導電性部材は、前記保護回路モジュールに前記各バッテリセルを連結する複数の導電性部材を含む。
【０００９】
本発明において、前記バッテリセルに隣接したスペーサの表面は、前記バッテリセルの外面形状に対応するように形成され、前記スペーサの上部表面は、バッテリパックを収容するケースの内部表面に対応するように形成される。
【００１０】
本発明において、前記スペーサは、前記連結タブの連結部を収容する貫通ホールを形成し、前記貫通ホールの一側には第１締結部が形成され、前記連結タブの連結部は、第２締結部を含み、前記連結タブを前記スペーサに固定させるために、前記連結タブの連結部が前記貫通ホールを通過して前記第２締結部と前記第１締結部とが結合される。
【００１１】
本発明において、前記連結タブの第２締結部を介して延びて固定された前記スペーサの第１締結部は、フック形態である。
【００１２】
本発明において、前記連結タブは、前記貫通ホールを介して第１方向で延び、続いて、前記スペーサの上部面に向かって隣接するように第２方向に折曲げられ、前記導電性部材は、前記スペーサの上部面に隣接して位置し、前記連結タブの折曲部が前記導電性部材に連結され、前記連結タブ部材を前記保護回路モジュールに連結する。
【００１３】
本発明において、前記連結タブの折曲部は、溶接によって前記導電性部材に連結される。
【００１４】
本発明において、前記連結タブの折曲部は、締結ホールをさらに含み、締結部材が前記締結ホールを介して前記導電性部材に連結される。
【００１５】
本発明において、前記スペーサは、結合溝をさらに含み、前記締結部材は、前記連結タブの締結ホールを介して前記スペーサの結合溝内に延びて固定される。
【００１６】
本発明において、前記スペーサの貫通ホール内において、前記第１締結部が形成されていない貫通ホールの他側は、傾斜して形成される。
【００１７】
本発明において、前記導電性部材は、カバーレイを含み、前記カバーレイにおいて、前記連結タブと前記保護回路モジュールとが連結される間の領域は、絶縁された形態である。
【００１８】
本発明において、前記スペーサは、前記導電性部材を収容するグルーブが形成され、前記グルーブは、前記導電性部材が載置できるように前記導電性部材に対応する深さと幅を有する。
【００１９】
本発明において、前記スペーサの一側には第１アラインマークが形成され、前記スペーサの他側には第２アラインマークが形成され、前記第１アラインマークと第２アラインマークは互いに異なる。
【００２０】
本発明において、前記連結タブ部材は、第１および第２バッテリセルにそれぞれ連結される第１連結領域と第２連結領域を含む。
【００２１】
本発明において、前記少なくとも１つのバッテリセルは、複数のバッテリセルを含むが、前記複数のバッテリセルは、少なくとも２つの列からなるバッテリセルセットを含み、互いに隣接した２つのバッテリセルセットは、連結タブ部材を介して連結され、前記導電性部材は、複数の導電性部材を含み、前記保護回路モジュールに前記バッテリセルセットを連結することができる。
【発明の効果】
【００２２】
本発明によれば、連結タブとスペーサとが物理的に締結されることによりスペーサの固定能力が向上することで、連結タブとカバーレイまたはこれに類似する部材との半田付け作業をより容易に行うことができる。
【００２３】
また、本発明は、スペーサ上で連結タブとカバーレイまたはこれに類似する部材とがスクリュー（ｓｃｒｅｗ）で締結されることにより半田付け工程を削除できることで、作業が単純化されるだけでなく、バッテリパックの品質が均一化されることが可能である。
【図面の簡単な説明】
【００２４】
【図１】本発明の第１実施形態にかかるバッテリパックを示す斜視図である。
【図２】本発明の第１実施形態にかかるバッテリパックを示す分解斜視図である。
【図３】本発明にかかる連結タブを示す斜視図である。
【図４】本発明にかかるスペーサを示す斜視図である。
【図５】図１のＡ−Ａ’に沿った断面図である。
【図６】本発明の第２実施形態にかかるスペーサを示す斜視図である。
【図７】本発明の第３実施形態にかかるバッテリパックを示す斜視図である。
【図８】図７のＢ−Ｂ’に沿った断面図である。
【発明を実施するための形態】
【００２５】
以下、添付した図面を参考にして、本発明の実施形態およびその他当業者が本発明の内容を容易に理解するために必要な事項について詳細に記載する。ただし、本発明は、請求の範囲に記載された範囲内で種々の異なる形態で実現できるので、下記に説明する実施形態は、表現の如何にかかわらず例示的なものに過ぎない。
【００２６】
本実施形態を説明するにあたり、かかる公知の機能あるいは構成に関する具体的な説明が本発明の要旨をあいまいにする可能性があると判断された場合、その詳細な説明は省略する。そして、図面において、同一の構成要素については、たとえ他の図面上に表示されていてもできるだけ同一の参照番号および符号で表していることに留意しなければならない。同時に、図面において、各層の厚さや大きさは、説明の便宜および明確性のために誇張されることがあり、実際の層の厚さや大きさとは異なり得る。
【００２７】
図１は、本発明の第１実施形態にかかるバッテリパックを示す斜視図であり、図２は、本発明の第１実施形態にかかるバッテリパックを示す分解斜視図である。
【００２８】
図１および図２を参照すれば、本発明にかかるバッテリパックは、電気的に連結された複数の円筒型バッテリセル３０ａ、３０ｂ、３０ｃ、３０ｄ、３０ｅ、３０ｆ（以下では、それぞれのバッテリセルに関する説明が必要な場合を除き、これを通称して「３０」と記載する）と、複数のバッテリセル３０を電気的に連結する少なくとも１つの連結タブ３１とを含む。そして、複数のバッテリセル３０の一側には保護回路モジュール２０を含み、このような保護回路モジュール２０と少なくとも１つの連結タブ３１とを電気的に連結する導電性部材４０を含む。また、本発明のバッテリパックは、複数のバッテリセル３０と導電性部材４０との間にスペーサ５０をさらに含む。
【００２９】
一方、本発明において、複数のバッテリセルは、少なくとも２つの列に配列され、隣接して配列された各バッテリセルセットが前記連結タブ部材を介して連結され、前記導電性部材は、前記保護回路モジュールに前記各バッテリセルを連結する複数の導電性部材を含む。
【００３０】
より好ましくは、スペーサ５０は、複数のバッテリセル３０とこれらを収容するケース（図示せず）との間の空間を満たすように形成できる。つまり、スペーサ５０は、垂直断面上で、上面の形状がケースの内面形状に対応し、下面の形状が複数のバッテリセル３０の外面形状に対応するように形成できる。
【００３１】
このようなスペーサ５０には、少なくとも１つの連結タブ３１が貫通する貫通ホール５１が形成され、連結タブ３１は、スペーサ５０の貫通ホール５１を貫通してスペーサ５０の上部面に向かって折曲げられる。この時、連結タブ３１が折曲げられる方向の貫通ホール５１の一側には第１締結部５２が形成され、第１締結部５２に対応する位置の連結タブ３１には第２締結部３２が形成される。ここで、第１締結部５２は、フック形状であり、第２締結部３２は、フックを収容するフック係止ホールの形態を呈する。
【００３２】
このように、スペーサ５０の第１締結部５２が連結タブ３１の第２締結部３２に挿入されることによりスペーサ５０が上下流動することを防止することができる。これにより、スペーサ５０上で連結タブ３１と導電性部材４０との半田付け作業をより容易にすることができる。
【００３３】
そして、第１締結部５２が形成されていない貫通ホール５１の他側には傾斜部５３（図５参照）が形成できる。このような傾斜部５３は、スペーサ５０の第１締結部５２が連結タブ３１の第２締結部３２により容易に挿入されるように空間を提供することができる。
【００３４】
つまり、これをより具体的に説明すると、スペーサ５０には貫通ホール５１が形成され、この貫通ホール５１の一側には、フック形状の第１締結部５２が形成され、連結タブ３１を含む連結タブ部材において、連結タブ３１には、フック係止ホール形態の第２締結部３２が形成される。
【００３５】
本発明にかかる保護回路モジュール２０（ＰＣＭ：Ｐｒｏｔｅｃｔｉｖｅ  Ｃｉｒｃｕｉｔ  Ｍｏｄｕｌｅ）は、電子部品などを実装し、保護回路などを構成する。保護回路は、電池の過充電や過放電を検出し電流を制御する回路、電池の過充電を検出し電流を遮断する回路などを含む。そして、このような電子部品および保護回路などが位置していない保護回路モジュール２０上には、 導電性部材４０の端部が挿入される挿入ホール２１が形成できる。
【００３６】
そして、複数のバッテリセル３０は、６つのバッテリセル３０ａ、３０ｂ、３０ｃ、３０ｄ、３０ｅ、３０ｆが直列および並列に連結された２Ｓ３Ｐの構造で形成される。この時、複数のバッテリセル３０は、連結タブ３１によって電気的に連結され、最外郭に位置する連結タブ３１は、バッテリパックの実現時に大電流端として使用できる。
【００３７】
保護回路モジュール２０と複数のバッテリセル３０とを電気的に連結する導電性部材４０は、細長い板状に形成され、銅（Ｃｕ）またはニッケル（Ｎｉ）のような導電性素子などで形成できる。そして、保護回路モジュール２０に連結される導電性部材４０の一側端部、および複数のバッテリセル３０に連結される導電性部材４０の他側端部を除いた導電性部材４０の外面は、絶縁部材１０が取り囲んでいる。つまり、半田付け部４１および導電性部材露出部４２を除いた導電性部材４０の外面は、絶縁部材１０によって取り囲まれた形態を呈する。
【００３８】
このような絶縁部材１０によって複数の導電性部材４０が一体化可能であり、絶縁部材１０は、複数のバッテリセル３０の外面に載置されやすい多様な形態で形成できる。ここで、絶縁部材１０は、ＰＩ（Ｐｏｌｙｉｍｉｄｅ）フィルムで形成できる。
【００３９】
このような導電性部材４０は、スペーサ５０上に載置され、導電性部材４０の上部には、スペーサ５０の貫通ホール５１を貫通した連結タブ３１が折曲げられて載置される。この時、連結タブ３１のホール形状の第２締結部３２にスペーサ５０のフックが係止されることによりスペーサ５０が固定された状態で、導電性部材４０と連結タブ３１との半田付け作業を行うことができる。
【００４０】
図３は、本発明にかかる連結タブを示す斜視図である。
【００４１】
図３を参照すれば、連結タブ３１を含む連結タブ部材は、複数のバッテリセル３０（図１参照）を電気的に連結するためのものであって、複数のバッテリセル３０を連結するために少なくとも１つで形成できる。このような連結タブ３１は、バッテリセル３０に連結される複数の第１連結部３５と、導電性部材４０（図２参照）に連結される１つの第２連結部３６とが形成される。前記第１バッテリセル３０と第１連結部３５および導電性部材４０と第２連結部３６は、それぞれ半田付けによって連結できる。前記第２連結部３６は、連結タブ部材から外側に、より詳細には、前記導電性部材４０に向かって外側に延びている。
【００４２】
前記第１連結部３５は、それぞれ隣接する２つのバッテリセルにそれぞれ連結される第１連結領域と第２連結領域を含む。
【００４３】
そして、連結タブ３１には、スペーサ５０（図２参照）の貫通ホール５１（図２参照）を貫通した後、スペーサ５０の上部面に向かって折曲げられる位置に第２締結部３２が形成される。ここで、第２締結部３２は、貫通ホール５１に形成されたフック形状の第１締結部５２（図２参照）に対応する位置に形成され、第１締結部５２が挿入されるようにフック係止ホール形状であり得る。
【００４４】
このように、連結タブ３１の第２締結部３２に第１締結部５２が挿入されることによりスペーサ５０が上下流動なく固定できる。これにより、スペーサ５０上で連結タブ３１の第２連結部３６と導電性部材４０とを半田付けして連結する工程をより容易に行うことができる。前記連結タブ３１と前記導電性部材４０は、溶接によって連結されることも可能である。
【００４５】
図４は、本発明にかかるスペーサを示す斜視図である。
【００４６】
図４を参照すれば、スペーサ５０は、複数のバッテリセル３０（図１参照）とこれらを収容するケース（図示せず）との間の空間に位置することができる。このようなスペーサ５０は、垂直断面上で、上面の形状がケースの内面形状に対応し、下面の形状が複数のバッテリセル３０の外面形状に対応するように形成できる。つまり、スペーサ５０は、並んで配列された複数のバッテリセル３０間の凹部分に挿入できる。
【００４７】
より好ましくは、スペーサ５０は、上面と下面がそれぞれケースの内面に対応する平らな形状、および複数のバッテリセル３０の外面に対応する円弧形状からなる。つまり、スペーサ５０は、下面が上面の両側端部方向に上方テーパされている構造で、上方テーパ面が複数のバッテリセル３０の外面に対応して円弧形状からなる。
【００４８】
これにより、スペーサ５０は、外部衝撃などによる複数のバッテリセル３０の揺れと移動を防止し、複数のバッテリセル３０を安定的に正位置に固定させることができる。ここで、バッテリセル３０は、円筒型であり、スペーサ５０の幅は、両端部が相互隣接した２つのバッテリセル３０の略中間部位に達する大きさであることが好ましい。
【００４９】
スペーサ５０には、複数のバッテリセル３０が連結された少なくとも１つの連結タブ３１（図２参照）と結合する結合部を含むことができる。前記結合部は、前記連結タブが貫通する貫通ホール５１と、前記貫通ホール５１の一側に形成された第１締結部５２とを含むことができる。
【００５０】
このようなスペーサ５０の貫通ホール５１には連結タブ３１が挿入され、連結タブ３１は、スペーサ５０の上部面に向かって折曲げられる。より詳細には、前記連結タブ３１の第２連結部３６が前記貫通ホール５１に挿入される。この時、連結タブ３１が折曲げられる方向の貫通ホール５１の一側には、フック形状の第１締結部５２が形成される。このような第１締結部５２は、連結タブ３１に形成されたフック係止ホール形状の第２締結部３２（図２参照）に挿入されることによりスペーサ５０が固定される。
【００５１】
そして、第１締結部５２が形成されていない貫通ホール５１の他側には、一定角度傾斜して形成された傾斜部５３が形成できる。このような傾斜部５３は、連結タブ３１が貫通ホール５１に挿入された後、スペーサ５０の第１締結部５２を連結タブ３１の第２締結部３２により容易に締結するための空間を提供することができる。
【００５２】
また、スペーサ５０は、電気絶縁性素材であれば特に限定されず、例えば、ＰＣ（Ｐｏｌｙｃａｒｂｏｎａｔｅ）、ＡＢＳ（Ｐｏｌｙａｃｒｙｌｏｎｉｔｒｉｌｅ−ｂｕｔａｄｉｅｎｅ−ｓｔｙｒｅｎｅ）などの高分子樹脂などが好適に使用できる。このような高分子樹脂を射出成形または押出成形後、所定の大きさに切断してスペーサ５０を容易に製造することができる。
【００５３】
図５は、図１のＡ−Ａ’に沿った断面図である。
【００５４】
図５を参照すれば、複数のバッテリセル３０が電気的に連結された連結タブ３１は、スペーサ５０の貫通ホール５１を通過してスペーサ５０の上部面に折曲げられる。この時、連結タブ３１が折曲げられる方向の貫通ホール５１の一側には、フック形状の第１締結部５２が形成される。そして、第１締結部５２に対応する位置の連結タブ３１には、フック係止ホール形状の第２締結部３２が形成される。これにより、連結タブ３１の第２締結部３２にスペーサ５０の第１締結部５２が収容されて係止される。
【００５５】
ここで、連結タブ３１の第２締結部３２にスペーサ５０の第１締結部５２がより円滑に締結されるようにするために、第１締結部５２が形成されていない貫通ホール５１の他側は、傾斜部５３の形態で形成できる。そして、連結タブ３１がスペーサ５０の上部面に折曲げられた状態で、連結タブ３１の端部の第２連結部３６は導電性部材４０に連結される。導電性部材４０は、保護回路モジュール２０と連結タブ３１とを電気的に連結させる構成で、スペーサ５０と連結タブ３１との間に位置し、半田付けによって連結タブ３１に連結できる。
【００５６】
図６は、本発明の第２実施形態にかかるスペーサを示す斜視図である。
【００５７】
図６を参照すれば、本発明の第２実施形態にかかるスペーサ５０の上部面には、導電性部材４０（図２参照）の載置のためのグルーブ５５が形成できる。このようなグルーブ５５がスペーサ５０の上部面に形成されることにより、複数のバッテリセル３０同士の電気的連結、および保護回路モジュール２０とバッテリセル３０との間の電気的な連結のための導電性部材４０を、スペーサ５０の上部面により容易かつ安定的に載置させることができる。
【００５８】
グルーブ５５は、導電性部材４０に対応する形状に形成でき、より好ましくは、グルーブ５５の幅は導電性部材４０の幅に対応し、グルーブ５５の深さは略導電性部材４０の厚さに対応するように形成できる。
【００５９】
また、スペーサ５０の一側には陽極表示が形成され、スペーサ５０の他側には陰極表示が形成され得る。これにより、スペーサ５０の陽極、陰極の方向が変わることを防止することができる。つまり、前記スペーサの一側には第１アラインマークが形成され、前記スペーサの他側には第２アラインマークが形成され得る。そして、前記第１アラインマークと第２アラインマークは互いに異なって形成することで、陽極と陰極の方向エラーを防止することができる。
【００６０】
図７は、本発明の第３実施形態にかかるバッテリパックを示す斜視図であり、図８は、図７のＢ−Ｂ’に沿った断面図である。
【００６１】
図７および図８の複数のバッテリセル３０、保護回路モジュール２０、導電性部材４０などは、上述した第１実施形態と同一または類似するので、重複した説明は省略する。図７および図８の第３実施形態にかかるバッテリパックは、連結タブ３１と導電性部材４０とが締結部材３４によって固定される。
【００６２】
まず、並んで隣接した複数のバッテリセル３０の間にはスペーサ５０が位置する。そして、連結タブ３１は、スペーサ５０の貫通ホール５１を介してスペーサ５０の上部面に折曲げられる。この時、スペーサ５０に形成されたフック形状の第１締結部５２に連結タブ３１の第２締結部３２が挿入されて固定された状態で、連結タブ３１と導電性部材４０とは締結部材３４によって固定できる。
【００６３】
ここで、連結タブ３１と導電性部材４０には、締結部材３４が貫通するようにそれぞれ第１締結ホール３３と第２締結ホール４４が形成される。そして、第１締結ホール３３および第２締結ホール４４に対応する位置のスペーサ５０には、締結部材３４が締結される結合溝５４が形成される。これにより、締結部材３４が第１締結ホール３３、第２締結ホール４４を貫通して結合溝５４に締結できる。ここで、結合溝５４は、ねじなどの締結部材３４が締結されるように締結部材３４の外面に対応する形状を呈することができる。
【００６４】
このように、連結タブ３１と導電性部材４０とを締結部材３４によって固定することで、半田付け工程を削除することができ、バッテリパックの品質を均一に維持することができる。
【００６５】
本発明の技術思想は、上記の好ましい実施形態により具体的に記述されたが、上記の実施形態は、その説明のためのものであって、それを制限するためのものではないことに注意しなければならない。また、本発明の技術分野における通常の知識を有する者であれば、本発明の技術思想の範囲内で多様な変形例が可能であることを理解することができる。
【００６６】
上述した発明に対する権利範囲は、以下の特許請求の範囲で定められるものであって、明細書本文の記載にこだわらず、請求の範囲の均等範囲に属する変形と変更はすべて本発明の範囲に属する。
【図１】
2013157311.tif 000003
【図２】
2013157311.tif 000004
【図３】
2013157311.tif 000005
【図４】
2013157311.tif 000006
【図５】
2013157311.tif 000007
【図６】
2013157311.tif 000008
【図７】
2013157311.tif 000009
【図８】
2013157311.tif 000010